(57)【要約】【課題】着用者に圧迫感、窮屈感、つっぱり感を与えず、ズレ下がりを抑制でき、身体に対するフィット性のよい筒状経編物からなる衣料を提供する。【解決手段】股間部を有する衣料の左右一方の側面から見立てたパターン１で表裏編地ａ１，ａ２の一部を筒状に編成して構成する筒状経編物からなる衣料であり、パターン１における前後股間部２ａ，２ｂに相当する部位に、それぞれ外方への拡張編地部５ａ，５ｂを設ける。【選択図】図２
2014015684.tif 000002
【特許請求の範囲】
【請求項１】
２列の針床を有する経編機により編成され、股間部を有する衣料の左右一方の側面から見立てたパターンで表裏編地の一部が筒状に編成されて構成される筒状経編物からなる衣料であって、
前記パターンにおける前後股間部に相当する部位に、それぞれ外方への拡張編地部が設けられてなることを特徴とする筒状経編物からなる衣料。
【請求項２】
前記パターンにおける前後股間部より上部の前股上ラインと後股上ラインにおいて表裏編地が接結編されることにより、パターン上部が筒編の胴部として形成されてなる請求項１に記載の筒状経編物からなる衣料。
【請求項３】
前記パターンにおける表裏編地の上端のパターンラインが、前記パターンの前身頃側から後身頃側にかけて漸次高くなるようにウエストラインに対して傾斜した形状をなしている請求項１又は２に記載の筒状経編物からなる衣料。
【請求項４】
前記パターンにおけるウエストラインと、前後股間部の拡張編地部を含む足部付け根ラインとの長さの比率が、１：１．０５〜１：１．３である請求項１〜３のいずれか１項に記載の筒状経編物からなる衣料。
【請求項５】
前記パターン形状における前股上ラインと後股上ラインとの長さの比率が、１：１．１〜１：１．５である請求項１〜４のいずれか１項に記載の筒状経編物からなる衣料。
【請求項６】
前記パターンにおける後股上ラインが外側に膨らんだ湾曲状を有してなる請求項１〜５のいずれか１項に記載の筒状経編物からなる衣料。
【請求項７】
２列の針床を有する経編機により、股間部を有する衣料の左右一方の側面から見立てたパターンで表裏編地をそれぞれ編成してなり、前記パターンにおける前後股間部より上部の前股上ラインと後股上ラインにおいて接結編することにより、パターン上部を筒編の胴部として形成するとともに、前記パターンにおける前後股間部に相当する部位に、それぞれ外方への拡張編地部を形成するように編成し、編成後にパターンの外形線に沿って切断し、前後股間部を含む必要個所を縫製して衣料にすることを特徴とする筒状経編物からなる衣料の製造方法。
【発明の詳細な説明】
【技術分野】
【０００１】
本発明は、２列の針床を有する経編機により、一部が筒状に編成される筒状経編物からなる衣料及びその製造方法に関するものである。
【背景技術】
【０００２】
近年、２列の針床を有し、２列のジャカードガイドバーを備えるダブルラッセル機等の経編機により、少なくとも一部を筒状に編成した筒状経編物からなる衣料として、身体に対するフィット性のよいパンツ、ショーツ、ガードル、シャツ、アウター等の多くのアイテムが採用されている。最近は、衣料の編糸に弾性糸を使用してその伸縮効果を利用して、体型補整や筋肉サポート機能の向上(緊締力の向上)などを図った機能商品が多く展開されてきている。
【０００３】
この際、２列のジャカードガイドバーで導糸する編糸に、ポリウレタン糸をポリエステル糸又はナイロン糸等でカバーリングした所謂カバーリング糸を使用し、地組織にはポリエステル糸や各種の加工糸を使用することで多様な機能要求に対応している。例えば、股間部を有するパンツの場合、ヒップ部の膨らみについては、筒状に編成する場合の開口部の大きさの大小を組合せ配置することで、長さや形状を調整したり、弾性糸の特徴を活かして長さ調整ができるように編成している。
【０００４】
しかし、股間部を有するパンツの場合、前身頃側の腹部上端から股間部までと、後身頃側のヒップ部上端から両骨盤に掛けては、着用者によって筋肉等の付き方や大きさ、長さ、形状等の違いのある膨らみがあり、身体の体型は様々である。そのため、従来からの手法をそのまま利用するのでは、身体の体型に沿った形状、大きさや長さ等は一体型筒状編地では作成できない。
【０００５】
例えば、特許文献１では、ショーツ等の衣料を編成する場合において、衣料を左右一方から見立てたパターンで、前身頃側の腹部上端から股間部まで、及び、後身頃側もヒップ部上端から股間部までのパターン形状センターラインを、それぞれ表裏編地を接結編成し、また股間部から足部までは表裏編地を接結せずに編成し、パターンの切除後に、股間部から足先部までの接結されていない表裏編地を縫製しで円筒状にし足部を形成する技術が開示されている。
【０００６】
しかし、この技術だけでは、前身頃側及び後身頃側の前後股上ラインの形状や長さは同じとなり、着用時、身体の前後左右の曲げ運動、屈伸運動等の動きにより、後身頃側のヒップ辺部で下部方向に引っ張られてズレ下がることがあり、満足する着用感が得られないものとなる。
【０００７】
そこで、身体の動き(運動)に対し、身体の全体又は一部分に窮屈（圧迫）感や、つっぱり感等を与えにくくてフィット感のある筒状経編物からなる衣料が求められている。
【先行技術文献】
【特許文献】
【０００８】
【特許文献１】特開２０１０−１９６１８５号公報
【発明の概要】
【発明が解決しようとする課題】
【０００９】
本発明は、２列の針床を有する経編機により一部が筒編されて構成される筒状経編物からなる衣料として、着用者の体型に合わせたパターン形状にして容易に製造でき、着用者に窮屈（圧迫）感や、つっぱり感を与えることがなく、またズレ下がり等を抑制でき、身体に対するフィット性のよい筒状経編物からなる衣料を提供するものであり、さらにはその製造方法を提供するものである。
【課題を解決するための手段】
【００１０】
本発明は、上記課題を解決するものであり、２列の針床を有する経編機により編成され、股間部を有する衣料の左右一方の側面から見立てたパターンで表裏編地の一部が筒状に編成されてなる筒状経編物であって、前記パターンにおける前後股間部に相当する部位に、それぞれ外方への拡張編地部が設けられてなることを特徴とする。
【００１１】
これにより、前後股間部に相当する部位に外方への拡張編地部を有することにより、縫製された衣料において前後股間部よりなる股下部は身体に合わせて調整することができ、窮屈感を緩和できる。
【００１２】
前記の筒状経編物からなる衣料は、前記パターンにおける前後股間部より上部の前股上ラインと後股上ラインにおいて表裏編地が接結編されて表裏編地の上部が筒編の胴部として形成されてなるものとする。
【００１３】
前記の筒状経編物からなる衣料において、前記パターンにおける表裏編地の上端のパターンラインが、前記パターンの前身頃側から後身頃側にかけて漸次高くなるようにウエストラインに対し傾斜した形状をなしているものとすることができる。これにより着用時の身体の動きによる後身頃側のズレ下がりを防止できる。
【００１４】
また、前記の筒状経編物からなる衣料において、前記パターンにおけるウエストラインと、前後股間部の拡張編地部を含む足部付け根ラインとの長さの比率が、１：１．０５〜１：１．３とするのが好ましい。
【００１５】
また、本発明は、前記の筒状経編物からなる衣料において、前記パターンにおける前股上ラインと後股上ラインとの長さの比率が、１：１．１〜１：１．５であるものとするのが好ましい。
【００１６】
また、本発明は、前記パターンにおける後股上ラインが、外側に膨らんだ湾曲状を有するものとすることが好ましい。
【００１７】
さらに、本発明の筒状経編物からなる衣料の製造方法は、２列の針床を有する経編機により、股間部を有する衣料の左右一方の側面から見立てたパターンで表裏編地をそれぞれ編成してなり、前記パターンにおける前後股間部より上部の前股上ラインと後股上ラインにおいて接結編することにより、表裏編地の上部を筒編の胴部として形成するとともに、前記パターンにおける前後股間部に相当する部位に、それぞれ外方への拡張編地部を形成するように編成し、編成後にパターンの外形線に沿って切断し、前後股間部を含む必要個所を縫製して衣料にすることを特徴とする。
【発明の効果】
【００１８】
本発明の筒状経編物からなる衣料及びその製造方法によれば、例えばパンツ、ショーツ、ガードル等の股間部を有する衣料を、身体に合った一体の筒状経編物により構成でき、製造が容易である上、編地により過度に圧追されることを軽減し、つっぱり（しめつけ）感も小さくなり、着用感がよくなる。また、しっかりと体型を保持することも可能となる。従って、違和感のない着心地感とフィット感を得ることができるほか、一体成型経編であるため、縫製箇所を少なくすることが可能となり、低コストな製品を提供できることになる。
【図面の簡単な説明】
【００１９】
【図１】本発明の衣料の編成に用いる経編機要部の概略説明図である。
【図２】本発明の実施例の衣料の編成上のパターンを示す略示平面図である。
【図３】同上の衣料の裁断後の略示斜視図である。
【図４】同上の衣料の縫製前の略示斜視図（ａ）と略示平面図（ｂ）である。
【図５】同上の衣料の縫製後の略示正面図（ａ）と略示側面図（ｂ）と略示平面図（ｃ）である。
【図６】表裏編地の編組織の１例を示す組織図である。
【図７】同上の表裏編地を接結編成する場合の編組織の１例を示す組織図である。
【発明を実施するための形態】
【００２０】
以下、本発明の筒状経編物からなる衣料と製造方法について、図面に示す実施例を参照して具体的に説明する。
【００２１】
本発明の筒状経編物からなる衣料は、パンツ、ショーツ、ガードル等の股間部を有する衣料（図はパンツの場合を示す）であり、後述するように、図１に示す２列の針床を有する経編機、好ましくはジャカード機構により制御される２列のジャカードガイドバーを備える経編機により、例えば図２のパターンで編成される。
【００２２】
図２は、股間部を有する図５に示すパンツ等の衣料１０の編成上の製品パターン１を示している。このパターン１は、特に編成対象となる衣料１０の左右一方の側面から見立てたパターンであり、経編機の２列の針床により表裏編地ａ１，ａ２が、それぞれ製品の左右に相当する部分が前記パターン１で編成されるとともに、前記パターン１における表裏編地ａ１，ａ２の一部が接結編され筒状に編成される。通常、前記パターンａにおける前後股間部２ａ，２ｂより上部の前股上ライン３（前身頃側の端縁）と後股上ライン４（後身頃側の端縁）において表裏編地ａ１，ａ２が接結編されることにより、パターン上部を筒編の胴部１１として形成するように編成され、前後股間部２ａ，２ｂ及びこれより下部では表裏編地ａ１，ａ２が非接結状態で編成され、後述するように編成後の縫製により、衣料１０の股間部１２及び左右の足部１３を形成する。
【００２３】
本発明の衣料１０の場合は、前記パターン１における表裏編地ａ１，ａ２の前後股間部２ａ，２ｂに相当する部位、すなわち足部の付け根の前後部に相当する部位に、それぞれ外方へ略三角山状に突出し拡張された拡張編地部５ａ，５ｂが設けられており、縫製後の製品である衣料１０において、股間部１２の下部、つまりは股下部にゆとり（余裕）をもたせて窮屈感を緩和するようにしている。
【００２４】
前記の前股間部２ａと後股間部２ｂの拡張編地部５ａ，５ｂの形状は、編成後のパターン外方の不要部分を切除し縫製した衣料１０における股下部の窮屈感を緩和するために考慮した形状とする。例えば、略三角山状に拡がる拡張編地部５ａ，５ｂの先端側の拡がり角度α３は、３０度〜１５０度の範囲で競技用、運動用、カジュアル用などの用途に合わせ、又は身体に合わせて適宜に選択すればよい。
【００２５】
前記先端部の拡がり角度α３が３０度より小さいと、先端部の面積が小さくなり、股下部で窮屈感を生ずることになる。逆に、前記拡がり角度α３が１５０度を越えると、股下部に余裕はできるが、たるみを生じることになる。
【００２６】
前記拡張編地部５ａ，５ｂの形状や先端部の大きさは、特に限定されるものではなく、歪みと縫製上の作業効率等を考慮して設定すればよいが、図示のように略三角山状にするのが、縫製の際に、縫合作業が容易になり、かつ歪みを生じにくいため好ましい。
【００２７】
前記パターン１において、表裏編地ａ１，ａ２の上端、つまり筒編による胴部１１の上端の形状をなすパターンライン６は、従来の水平の横直線ではなく、前記パターン１の前身頃側から後身頃側にかけて漸次高くなるように水平をなすウエストライン７に対して所定の傾斜角度α１で傾斜した形状をなしている。前記傾斜角度α１は、適宜設定できるが、通常は０度より大きく、３０度までに設定するのが好ましく、さらに好ましくは３〜２５度の範囲である。前記角度α１が０度以下であると、前股上ライン３と後股上ライン４の長さが同じ、又は後股上ライン４の長さが短くなるため、前後の屈伸運動の際、後身頃側がヒップの下部方向に引っ張られて下がり、腰部周辺が露出してしまう虞ある。また、前記角度α１が３０度を越えると 後身頃側での余裕はできるが、長すぎてヒップ周辺でだぶつき、しわ、ゆがみ、たるみを生ずる虞がある。
【００２８】
また、前記パターン１におけるウエストライン７と、前後股間部２ａ，２ｂの拡張編地部５ａ，５ｂを含む足部付け根ライン（わたりが設定されるライン）８のそれぞれの長さＬ１，Ｌ２は、衣類のサイズや着用者の体型に合わせて適宜に設定すればよいが、その長さの比率（Ｌ１：Ｌ２）は１：１．０５〜１：１．３であるのが好ましい。すなわち、前記ウエストライン７の長さＬ１を１とするとき、前記足部付け根ライン８の長さＬ２を１．０５〜１．３の範囲に設定するのが好ましく、さらに好ましくは１．０５〜１．２の範囲である。
【００２９】
前記のように、ウエストライン７と、拡張編地部５ａ，５ｂを含む足部付け根ライン８の長さを設定することにより、編成後の前後股間部２ａ，２ｂの縫製の際に、股間部２の長さの調整が可能となり、前部股間部２ａから後部股間部２ｂのヒップ下部にかけて余裕ができ、着用時に股下の窮屈（圧迫）感が軽減される。
【００３０】
前記ウエストライン７と足部付け根ライン８との長さの比率が１：１．０５未満であると、前後股間部２ａ，２ｂの拡張編地部５ａ，５ｂによる余裕が殆どなくなり、着用時に股下で窮屈（圧迫）感があり違和感を感ずる。また、前記ウエストライン７と足部付け根ライン８との長さの比率が１：１．３より大きいと、前記拡張編地部５ａ，５ｂにより股下に余裕はできるが、その余裕部分にだぶつき、たるみを生じる虞がある。従って、前記長さの比率を前記範囲に設定するのが好ましい。
【００３１】
また、前記パターン１における前股上ライン３と後股上ライン４との長さの比率は、前股上ライン３の長さを１とした場合に後股上ライン４の長さが１．１〜１．５の範囲であるのが好ましい。すなわち、前記長さの比率が１．１より小さくなると、前後の屈伸運動の際に後身頃がズレ下がる虞があり、前記長さの比率が１．５を越えると、ヒップ周辺部の形が変形しシワやだぶつきを生じ見栄えが悪くなるばかりか 着用感も損なわれる。
【００３２】
また、前記パターン１において、後身頃側のヒップ上部からヒップ下部にかけての端縁である後股上ライン４が外側に膨らんだ湾曲状を有するものとし、該後股上ライン４の上端からの膨らみ角度α２を、６０度以下、すなわち０度より大きく６０度までの範囲の角度とするのが好ましい。さらに好ましい膨らみ角度α２は１０〜３０度である。なお、前記の膨らみ角度α２は、前記後股上ライン４の上端からウエストライン７への垂線と、後股上ライン４の上端と該後股上ライン上のウエストラインとの交点を結ぶ直線（補助直線）とにより挟まれた角度とする。この膨らみ角度α２は、着用者の体型に合わせて適宜に設定できるが、角度が０度以下であると、ヒップ周辺に圧迫感を感じ、ズレ下がりが生じる虞がある。逆に、前記膨らみ角度α２が６０度より大きくなると、ヒップ周辺部に余裕ができるが、だぶつき、たるみを生じ、かえって見栄えが悪くなる虞がある。
【００３３】
前記のように、後股上ライン４に膨らみをつけることで、衣料１０のヒップ部に余裕ができて、ズレ下がり防止の効果があり、着用状態での前後の屈伸運動等の動きに対して、後身頃側のズレ下がりを小さくすることができる。
【００３４】
上記のパターン１の筒状経編物からなる衣料１０は、例えば図１に示す２列の針床を有し、かつ２列のジャカードガイドバーを備えるダブルラッシェル機などの経編機により、筒編を主体として編成される。この際、編機ゲージは１４〜３２ゲージの範囲で衣料製品に合わせて適宜に選択することができる。
【００３５】
前記衣料１０に使用する編糸は、２２〜４４０ｄｔｅｘの範囲で目的に応じ適宜に選択をすればよく、編糸の材質については、特に限定されるものではなく、ナイロン、ポリエステル、レーヨン、ポリプロピレン等の合成繊維糸、綿やウールなどの天然紡績糸、割繊維機能糸など商品に合わせ適宜に選択をすればよい。また、ポリウレタン弾性糸、ナイロンなどの合撚糸、カバーリング糸などを使用しても良い。
【００３６】
前記衣料に使用する編地の編密度は、１４〜１００コース／インチ、１４〜８０ウエル／インチの範囲で、用途に応じて適宜に設定することができる。
【００３７】
図１の経編機は、２列の針床を有し、２列のジャカードガイドバーを備えるダブルラッセル機（カールマイヤー社製のＲＤＰＪ６／２Ｎ）の略図である。
【００３８】
図１において、Ｎ１，Ｎ２はそれぞれ編機幅方向に並列する前後の編針、Ｔ１，Ｔ２は前後の針釜（トリックプレート）を示し  、Ｙ１〜Ｙ６は各ガイドバーＬ−１〜Ｌ−６のガイド部Ｇ１〜Ｇ６に通糸される編糸を示している。Ｂ１〜Ｂ６は各編糸のビームを示す。編機のビームＢ１，Ｂ２から供給される編糸Ｙ１，Ｙ２がガイドバーＬ−１，Ｌ−２のガイドＧ１，Ｇ２に通糸されて、前側編針Ｎ１で編成され前側編地の地組織（表編地ａ１）となる。また、ビームＢ５，Ｂ６から供給される編糸Ｙ５，Ｙ６がガイドバーＬ−５，Ｌ−６のガイドＧ５，Ｇ６に通糸されて、後側編針Ｎ２で編成され後側編地の地組織（裏編地ａ２）となる。ビームＢ３，Ｂ４から供給される編糸Ｙ３，Ｙ４はジャカード機構を有するジャカードガイドバーＬ−３，Ｌ−４のガイドＧ３，Ｇ４に通糸されて、前側編地（表編地）と後側編地（裏編地）に対して、ジャカート編組織の編成を行い、所望の意匠柄を付与する編成を行うとともに、製造対象の衣料１０のパターン１の外形線に沿って必要個所で接結編、つまり前後両編地（表裏編地ａ１，ａ２）を接結するように編成する。製造対象の衣料１０の編地組織、すなわち前記両編地（表裏編地ａ１，ａ２）の組織によっては、前記ガイドバーＬ−１及びＬ−６を使用せずに編成する場合もある。
【００３９】
図６は、前後両編地（表裏編地となる）を接結しない編地部分の編組織を示しており、ガイドバーＬ−２及びＬ−５の鎖編に対し、ジャカードガイドバーＬ−３，Ｌ−４により地組織の一部をなすようにデンビ編を基準にしたジャカード組織を組み合わせて、前後両編地の地組織を編成する。図７は、前後両編地（表裏編地）を接結する編組織の１例を示しており、前記のジャカードガイドバーＬ−３，Ｌ−４により、図６と同様に、デンビ編を基準にしたジャカード組織を編成しながら、所要のコースの位置で前後一方の編針の側から他方の編針の側に掛け渡して前後両編地を接結するように編成する。図６及び図７において、Ｆは前側の編針で編成するコースを、Ｂは後側の編針で編成するコースを示している。
【００４０】
本発明の場合は、上記したように、製造対象のパンツ等の衣料１０を左右一方の側面から見立てた図２のパターン１において、前身頃側の上端から前股間部２ａまでの前股上ライン３の部分で表裏編地を接結編し、同時に後身頃側の上端（ヒップ上端）からヒップ下の後股間部２ｂまでの後股上ライン４を接結編して、前後股間部２ａ，２ｂより上部を筒状の胴部１１を構成するように編成する。この際、製品としての衣料１０の上部開口に相当する上端のパターンライン６の部分は接結しないで編成する。また、前後股間部２ａ，２ｂに相当する部位における拡張編地部５ａ，５ｂから足部１３に相当する下部を所定のパターン１の形状に沿って先端まで表裏編地ａ１，ａ２を接結しないで編成する。
【００４１】
なお、上記の説明では、便宜的に図２に基づいて単一のパターン１について説明しているが、実際の製造においては、前記と同一のパターン１が、編幅方向に１つもしくは複数を並べて編方向に所定間隔毎に連続して編成される。また、パターン１の外方の編地部分において、パターンの外形線に沿う編地部分を、編成後の切断が容易な編組織にしておくのが好ましい。
【００４２】
前記のように所定のパターン１で編成後、各パターン１の外形線に沿って切断して、外方の不要部分を切除し、パターン１の筒状編地毎に切り離す（図３）。切り離されたパターン１の筒状編地を、図４のように、前股上ライン３及び後股上ライン４を前後身頃部分の中央に位置させるように、表裏編地ａ１，ａ２をそれぞれ幅方向中央で折り曲げる。この状態で、図５のように、前後股間部２ａ，２ｂにおける拡張編地部５ａ，５ｂの頂部より下側の表裏編地ａ１，ａ２それぞれの前後の縁部同士を筒状をなすように縫製し接結するとともに、前後股間部２ａ，２ｂより下方の足部に相当する表裏編地ａ１，ａ２をそれぞれ筒状に縫製し、足部１３を形成する。そして、前股間部２ａの拡張編地部５ａの先端部と、後股間部２ｂの拡張編地部５ｂの先端部とを股間中央部付近で縫製し連結して前後股間部２ａ，２ｂを連続させる。また、前後股間部２ａ，２ｂにおける拡張編地部５ａ，５ｂの頂部より上側の前股上ライン３及び後股上ライン４に続く表裏編地ａ１，ａ２の縁部同士を接結するように縫製する。これにより、図５に示すように、上端のパターンライン６の部分は開口したウエスト部１４となり、前股上ライン３と後股上ライン４の間が筒状の胴部１１となり、その下の前後股間部２ａ，２ｂの部分が前記拡張編地部５ａ，５ｂの頂部の部分で連結された股間部１２となる。
【００４３】
上記のようにして得られたパンツ、ショーツ、ガードル等の股間部１２をする衣料１０は、編成上のパターン１において、前後股間部２ａ，２ｂの部位に拡張編地部５ａ，５ｂを設けたことにより、下部に余裕が生じ、前記の縫製作業が容易になり、また衣料として、窮屈（圧迫）感を緩和でき、しめつけ感も小さく、着用感の良好なものとなる。
【００４４】
以下、実施例により本発明をさらに詳しく説明するが、本発明は以下の実施例に限定されるものではない。
【００４５】
なお、実施例における股間部の着用感、腹部下の着用感、ヒップ部の着用感等の各評価は、男女モニター各５名が実際に着用したときの着用者の評価であり、以下の基準に従って判定した。また、後身頃のズレ下がりの有無についても着用者が判定した。１０名の判定を集計し、各評価項目で過半数を越えた最も多い判定を表１にまとめた。
【００４６】
○  ：  フィット感があり、窮屈感も緩さ（だぶつき）感も感じない
△  ：  若干の窮屈感、又は緩さ（だぶつき）感がある
×  ：  窮屈感、又は緩さ（だぶつき）感がある
〔実施例１〕 
２列のジャカードガイドバーを備えるダブルラッセル機（カールマイヤー社製  ＲＤＰＪ６／２Ｎ−２４Ｅ）を用いて、ガイドバーＬ−２，Ｌ−５に５６ｄｔｅｘ／２４ｆの加工糸を使用し、ジャカードガイドバーＬ−３，Ｌ−４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、表裏編地は図６のガイドバーＬ−２，Ｌ−５の鎖編と、ジャカードガイドバーＬ−３，Ｌ−４によるデンビ編との組み合わせによる地組織にして、ジャカート組織の変化で伸縮の強い編地と伸縮の弱い編地をコース、ウエル方向に意匠とともに付与して編成した。このとき編地の仕上り密度を６０コース／４０ウエルとした。
【００４７】
編成したパターン１における上端のパターンラインとウエストラインとの角度は１０度で後部が高くなるように編成しており、ヒップ周辺に当たる膨らみ角度α２は２０度とし、前股上ラインと後股上ラインの長さの比率は１：１．２で編成した。
【００４８】
足部付け根ラインの前後部に当たる前後股間部における拡張編地部の三角山状の先端側の拡がり角度α３は９５度とし、ウエストラインと足部付け根ラインの長さの比率は、１：１．１とした。
【００４９】
編成後、表裏編地をパターンの外形線に沿って切断し、パターン外方の不要部分を切除した後、表裏編地をそれぞれ前股上ラインを前身頃側の中央に、後股上ラインを後身頃側の中央に位置させて、表裏編地の下部がそれぞれ左右の足部を形成するように幅方向中央で折り曲げる（図４）。この状態で、表裏編地の前後股間部の縁部を接結するように縫製し、さらに前後股間部より下部の編地部分の両側縁を縫製して、左右の足部を筒状に形成する。
【００５０】
このとき、前後股間部の両足部に連続する基部同士を連結するようにして、図４に例示いるパンツを完成した。完成された本発明衣料のパンツについて、股間部の着用感、腹部下の着用感、ヒップ部の着用感、後身頃のズレ下がりの有無等について、評価を行った結果を表１に示す。
【００５１】
〔実施例２〕
実施例１の足部付け根ラインの前後部に当たる前後股間部における拡張編地部の三角山状の先端部の拡がり角度α３を３０度とした以外は、実施例１と同様にして編成し、編成後、同様にパターンの外形線に沿って切除し縫製してパンツにし、上記と同様の評価を行った。その結果を表１に示す。
【００５２】
〔実施例３〕
実施例１の足部付け根ラインの前後部に当たる前後股間部における拡張編地部の三角山状の先端部の拡がり角度α３を１５０度とした以外は、実施例１と同様にして編成し、編成後、同様にパターンの外形線に沿って切除し縫製してパンツにし、上記と同様の評価を行った。その結果を表１に示す。
【００５３】
〔実施例４〕
２列のジャカードガイドバーを備えるダブルラッセル機（カールマイヤー社製  ＲＤＰＪ６／２Ｎ−２４Ｅ）を用いて、ガイドバーＬ−２，Ｌ−５に８４ｄｔｅｘ／３６ｆのポリエステル加工糸を使用し、ジャカードガイドバーＬ−３，Ｌ−４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、表裏編地は図６のガイドバーＬ−２，Ｌ−５の鎖編と、ジャカードガイドバーＬ−３，Ｌ−４によるデンビ編との組み合わせによる地組織にして、ジャカート組織の変化で伸縮の強い編地と伸縮の弱い編地をコース、ウエル方向に意匠とともに付与して編成した。このとき編地の仕上り密度を７０コース／４５ウエルとした。
【００５４】
また、図２のパターンにおける上端のパターンラインのウエストラインに対する傾斜角度α１は２０度で後部が高くなるように編成し、ヒップ周辺に当たる後股上ラインの膨らみ角度α２は４５度とし、前股上と後股上の長さの比率は１：１．３で編成した。
【００５５】
また、前後股間部の拡張部分の突出端側の拡がり角度α３は８５度とし、ウエストラインと足部付け根ラインとの長さの比率を1：１．２とした。
【００５６】
編成後、実施例１と同様に、パターンの外形線に沿って切除、縫製しパンツにし、上記と同様の評価を行った。その結果を表１に示す。
【００５７】
〔実施例５〕
２列のジャカードガイドバーを備えるダブルラッセル機（カールマイヤー社製  ＲＤＰＪ６／２Ｎ−２４Ｅ）を用いて、ガイドバーＬ−２，Ｌ−５に８４ｄｔｅｘ／３６ｆのポリエステル加工糸を使用し、ジャカードガイドバーＬ−３，Ｌ−４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、表裏編地は図６のガイドバーＬ−２，Ｌ−５の鎖編と、ジャカードガイドバーＬ−３，Ｌ−４によるデンビ編との組み合わせによる地組織にして、ジャカート組織の変化で伸縮の強い編地と伸縮の弱い編地をコース、ウエル方向に意匠とともに付与して編成した。仕上り密度は７５コース／４２ウエルとした。
【００５８】
図２のパターンにおける上端のパターンラインの傾斜角度α１は１５度で後が高くなるように編成しており、ヒップ周辺に当たる膨らみ角度α２は３０度とし、前股上ラインと後股上ラインの長さの比率は１：１．４で編成した。
【００５９】
前後股間部における拡張編地部の拡がり角度α３は６０度とし、ウエストラインと足部付け根ラインの長さの比率は１：１．３とした。
【００６０】
編成後、実施例１と同様に、パターンの外形線に沿って切除、縫製しパンツにし、上記途同様の評価を行った。その結果を表１に示す。
【００６１】
〔実施例６〕 
２列のジャカードガイドバーを備えるダブルラッセル機（カールマイヤー社製  ＲＤＰＪ６／２Ｎ−２４Ｅ）を用いて、ガイドバーＬ−２，Ｌ−５に８４ｄｔｅｘ／３６ｆのポリエステル加工糸を使用し、ジャカードガイドバーＬ−３，Ｌ−４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、表裏編地は図６のガイドバーＬ−２，Ｌ−５の鎖編と、ジャカードガイドバーＬ−３，Ｌ−４によるデンビ編との組み合わせによる地組織にして、ジャカート組織の変化で伸縮の強い編地と伸縮の弱い編地をコース、ウエル方向に意匠とともに付与して編成した。仕上りの密度は７０コース／４５ウエルとした。
【００６２】
図２のパターンにおける上端のパターンラインの傾斜角度α１は３０度で後が高くなるように編成しており、ヒップ周辺に当たる膨らみ角度α２は４０度とし、前股上ラインと後股上ラインの長さの比率は１：１．４で編成した。
【００６３】
前後股間部における拡張編地部の拡がり角度α３は１６０度とし、ウエストラインと足部付け根ラインの長さの比率は１：１．４とした。
【００６４】
編成後、実施例１と同様に、パターンの外形線に沿って切除、縫製しパンツにし、上記と同様の評価を行った。その結果を表１に示す。
【００６５】
〔比較例１〕
２列のジャカードガイドバーを備えるダブルラッセル機（カールマイヤー社製  ＲＤＰＪ６／２Ｎ−２４Ｅ）を用いて、ガイドバーＬ−２，Ｌ−５に８４ｄｔｅｘ／３６ｆのポリエステル加工糸を使用し、ジャカードガイドバーＬ−３，Ｌ−４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、表裏編地は図６のガイドバーＬ−２，Ｌ−５の鎖編と、ジャカードガイドバーＬ−３，Ｌ−４によるデンビ編との組み合わせによる地組織にして、ジャカート組織の変化で伸縮の強い編地と伸縮の弱い編地をコース、ウエル方向に意匠とともに付与して編成した。仕上りの密度は６０コース／４０ウエルとした。
【００６６】
図２のパターンにおける上端のパターンラインは、傾斜角度α１が０度で前後の高さが同じとなるように編成し、ヒップ周辺に当たる膨らみ角度α２は０度で、膨らみはなく、前後股間部における拡張編地部は編成しなかった。編成後、実施例１と同様に、パターンの外形線に沿って切除、縫製してパンツにし、上記と同様の評価を行った。その結果を表１に示す。
【００６７】
【表１】
2014015684.tif 000003
【符号の説明】
【００６８】
１…製品パターン、２a…前股間部、２ｂ…後股間部、３…前股上ライン、４…後股上ライン、５ａ，５ｂ…拡張編地部、６…パターンライン、７…ウエストライン、８…足部付け根ライン、１０…衣料、１１…胴部、１２…股間部、１３…足部、α１…傾斜角度、α２…膨らみ角度、α３…拡がり角度、ａ１，ａ２…表裏編地。
【図１】
2014015684.tif 000004
【図２】
2014015684.tif 000005
【図３】
2014015684.tif 000006
【図４】
2014015684.tif 000007
【図５】
2014015684.tif 000008
【図６】
2014015684.tif 000009
【図７】
2014015684.tif 000010